(57)【特許請求の範囲】
【請求項１】
第１の用紙と、
この第１の用紙に、この第１の用紙より幅の狭い第２の用紙を貼着して形成した貼着部分と、
この貼着部分において、前記第１の用紙及び前記第２の用紙を打抜いて分離可能に形成したカード紙片とを備え、
このカード紙片は、カード本体とこのカード本体に折り曲げ切断線を介して連接された隠蔽シール部を有し、
このカード本体においては、前記第１の用紙と前記第２の用紙が非剥離性の第１の接着剤により貼着されており、
前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、
前記第１の用紙は、前記第２の用紙に折り重ねられて剥離可能な第２の接着剤により擬似接着されていること
を特徴とするカード紙片付印刷物。
【請求項２】
前記第１の用紙は、左側面部と中央面部と右側面部からなり、
前記第２の用紙は、前記第１の用紙の中央面部に貼着されており、
前記第１の用紙の左側面部と右側面部が、前記第１の用紙の中央面部に折り重ねられていること
特徴とする請求項１記載のカード紙片付印刷物。
【請求項３】
前記第１の用紙は、左側面部と中央面部と右側面部からなり、
前記第２の用紙は、前記第１の用紙の左側面部又は右側面部に貼着されており、
前記第１の用紙の左側面部と右側面部が、前記第１の用紙の中央面部に折り重ねられていること
特徴とする請求項１記載のカード紙片付印刷物。
【請求項４】
第１の用紙と、
この第１の用紙に第２の用紙を貼着して形成した貼着部分と、
第３の用紙と、
前記貼着部分において、前記第１の用紙及び前記第２の用紙を打抜いて分離可能に形成したカード紙片とを備え、
このカード紙片は、カード本体とこのカード本体に折り曲げ切断線を介して連接された隠蔽シール部を有し、
このカード本体においては、前記第１の用紙と前記第２の用紙が非剥離性の第１の接着剤により貼着されており、
前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、
前記第３の用紙は、前記貼着部分に剥離可能な第２の接着剤により擬似接着されていること
を特徴とするカード紙片付印刷物。
【請求項５】
前記折り曲げ切断線の一端において、前記第１の用紙及び／又は前記第２の用紙に、切欠き又は切り込みが設けられていることを特徴とする請求項１乃至請求項４のいずれかに記載したカード紙片付印刷物。
【請求項６】
第１の用紙とこの第１の用紙より幅の狭い第２の用紙を繰り出す用紙繰り出し工程と、
前記第１の用紙又は前記第２の用紙に非剥離性の第１の接着剤及び再粘着性の粘着剤を互いに重ならないように塗布する接着剤及び粘着剤塗布工程と、
前記第１の用紙と前記第２の用紙を前記第１の接着剤及び前記粘着剤で貼着した貼着部分を形成する貼着部分形成工程と、
前記貼着部分において、前記第１の接着剤が塗布された部分と前記粘着剤が塗布された部分の境界の全部又は一部に折り曲げ切断線を入れる折り曲げ切断線形成工程と、
前記第１の用紙又は前記貼着部分に剥離可能な第２の接着剤を塗布し、前記第１の用紙を前記貼着部分に折り重ねて擬似接着させる擬似接着工程と、
前記貼着部分において、前記第１の用紙と前記第２の用紙を打抜いてカード紙片を形成するカード紙片形成工程と
を備えたことを特徴とするカード紙片付印刷物の製造方法。
【請求項７】
前記第１の用紙は、左側面部と中央面部と右側面部からなり、
前記接着剤及び粘着剤塗布工程においては、前記第１の用紙の左側面部又は右側面部、又は前記第２の用紙に前記第１の接着剤及び前記粘着剤を互いに重ならないように塗布し、
前記貼着部分形成工程においては、前記第１の用紙の左側面部又は右側面部と、前記第２の用紙を前記第１の接着剤及び前記粘着剤で貼着して貼着部分を形成し、
前記擬似接着工程においては、さらに、前記第１の用紙の左側面部又は右側面部を前記第１の用紙の中央面部に折り重ねて擬似接着させること
を特徴とする請求項６記載のカード紙片付印刷物の製造方法。
【請求項８】
前記第１の用紙は、左側面部と中央面部と右側面部からなり、
前記接着剤及び粘着剤塗布工程においては、前記第１の用紙の中央面部又は前記第２の用紙に前記第１の接着剤及び前記粘着剤を互いに重ならないように塗布し、
前記貼着部分形成工程においては、前記第１の用紙の中央面部と前記第２の用紙を前記第１の接着剤及び前記粘着剤で貼着して貼着部分を形成し、
前記擬似接着工程においては、さらに、前記第１の用紙の左側面部又は右側面部を前記第１の用紙の中央面部に折り重ねて擬似接着させること
を特徴とする請求項６記載のカード紙片付印刷物の製造方法。
【請求項９】
第１の用紙、この第１の用紙より幅の狭い第２の用紙及び第３の用紙を繰り出す用紙繰り出し工程と、
前記第１の用紙又は前記第２の用紙に非剥離性の第１の接着剤及び再粘着性の粘着剤を互いに重ならないように塗布する接着剤及び粘着剤塗布工程と、
前記第１の用紙と前記第２の用紙を前記第１の接着剤及び前記粘着剤で貼着した貼着部分を形成する貼着部分形成工程と、
前記貼着部分において、前記第１の接着剤が塗布された部分と前記粘着剤が塗布された部分の境界全部又は一部に折り曲げ切断線を入れる折り曲げ切断線形成工程と、
前記第１の用紙及び前記貼り合せ部分に剥離可能な第２の接着剤を塗布し、前記第３の用紙を前記第１の用紙及び前記貼り合せ部分に重ねて擬似接着させる擬似接着工程と、
前記貼着部分において、前記第１の用紙と前記第２の用紙を打抜いてカード紙片を形成するカード紙片形成工程と
を備えたことを特徴とするカード紙片付印刷物の製造方法。
【請求項１０】
前記カード紙片形成工程においては、さらに、前記折り曲げ切断線の一端において、前記第１の用紙及び／又は前記第２の用紙を打抜いて、切欠き又は切り込みを形成することを特徴とする請求項７乃至請求項９のいずれかに記載したカード紙片付印刷物の製造方法。
【発明の詳細な説明】
【技術分野】
【０００１】
本発明は、カード本体に隠蔽シール部が連設された隠蔽シール部付カード及び用紙の一部に隠蔽シール部付カード紙片が分離可能に形成されたカード紙片付印刷物に関するものである。
【背景技術】
【０００２】
葉書、クーポン等のサービス券、チケット類、会員証等のカードにおいては、個人情報や秘密にすべき情報を隠蔽するため、各種隠蔽手段が取られている。
例えば、特開２００１−３３４７７７号公報（特許文献１）には、葉書本体の拡張部位に粘着剤層を形成し、この粘着剤層上に葉書本体とは別の用紙を積層させて隠蔽シールを構成した隠蔽シール付葉書用シートが開示されている。
また、実用新案登録第３１４４６７６号公報（特許文献２）には、ハガキ本体に折り曲げ線を介して連接された粘着剤層を有する隠蔽シールを、折り曲げ線にて二つ折りにすることによって、ハガキ本体の通信面の一部を隠蔽することができる隠蔽ハガキが開示されている。
一方、カタログ、チラシ、パンフレット、ダイレクトメール等の各種印刷物の中には、葉書、クーポン等のサービス券、チケット類、会員証等のカード紙片が用紙の一部に設けられたカード紙片付印刷物があり、各種用途に利用されている。このカード紙片付印刷物を入手した利用者は、用紙からカード紙片を分離し、葉書、クーポン等のサービス券、チケット類、会員証等として利用することができる。
そして、特開２００４−１３３０６５号公報（特許文献３）には、紙片を重ねて貼り合せた二重構造の広告紙に、返信はがき部と貼付シールを設け、返信はがき部を切り取って返信はがきとして使用する場合に、貼付シールで返信はがきを隠蔽できる剥離・再接着シール付き広告用印刷物が開示されている。
【０００３】
しかしながら、特許文献１の隠蔽シール付葉書用シートでは、葉書本体にミシン目で連結した拡張部位に難接着性インキ層と粘着剤層を介して別の用紙を積層するため、葉書本体と拡張部位の境界に段差が生じ、その段差に他のシート等が引っかかったりして積層した用紙が剥がれたりする等の問題が生ずるのみならず、この段差のため葉書本体と拡張部位を同時に印刷することができず、印刷物として見栄えが悪くなるという欠点がある。
また、特許文献２の隠蔽はがきにおいても、ハガキ本体に連接された隠蔽シールの粘着剤層は離型紙で被覆保護されているため、ハガキ本体と隠蔽シールとの境界に段差が生じ、特許文献１と同様の問題が生ずる。
【０００４】
一方、特許文献３には、返信はがき部と秘匿シールが設けられ、段差が生じない広告印刷物が開示されているが、特許文献３においては、広告印刷物から剥がした剛性のない秘匿シールを、広告用印刷物から切り離した返信はがきに貼り付けるようになっており、貼り合せる際の位置合わせが面倒であると共に、秘匿シールを貼り合せる際にしわが生じたりする等の問題があり、また、返信はがきと秘匿シールが別体であることから、秘匿シールが紛失しやすいという問題もある。
さらに、特許文献３においては、二重構造の広告紙に設けられたミシン目により返信はがき部が形成されており、広告印刷物から返信はがきを分離して使用するためには、このミシン目から返信はがきを切り離すという煩わしい作業が利用者に強いられるという大きな欠点がある。
この点、特開２００６−２９７６８７号公報（特許文献４）には、左側面部と中央面部と右側面部からなる印刷物であって、ミシン目ではない切り込みによって中央面部等に分離して使用するもの（葉書等）が形成され、中央面部等から切り取らずに分離して使用するものが利用できる印刷物が開示されている。
しかしながら、特許文献４の印刷物には秘匿シールが設けられていない。
【先行技術文献】
【特許文献】
【０００５】
【特許文献１】特開２００１−３３４７７７号公報
【特許文献２】実用新案登録第３１４４６７６号公報
【特許文献３】特開２００４−１３３０６５号公報
【特許文献４】特開２００６−２９７６８７号公報
【発明の概要】
【発明が解決しようとする課題】
【０００６】
本発明が解決しようとする課題は、隠蔽シール部付カードにおいて、カードに段差を設けることなく、隠蔽紙片が形成でき、印刷物としての見栄えが損なわれないようにすることであり、カード紙片付印刷物において、カード紙片を隠蔽する隠蔽紙片を設けても、カード紙片及び隠蔽紙片を印刷物から容易に分離でき、位置合わせ等の手間をかけたりしわを発生させたりすることなく、隠蔽紙片をカード紙片に貼り付けられるようにすることである。
【課題を解決するための手段】
【０００９】
請求項１記載の発明は、第１の用紙と、この第１の用紙に、この第１の用紙より幅の狭い第２の用紙を貼着して形成した貼着部分と、この貼着部分において、前記第１の用紙及び前記第２の用紙を打抜いて分離可能に形成したカード紙片とを備え、このカード紙片は、カード本体とこのカード本体に折り曲げ切断線を介して連接された隠蔽シール部を有し、このカード本体においては、前記第１の用紙と前記第２の用紙が非剥離性の第１の接着剤により貼着されており、前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、前記第１の用紙は、前記第２の用紙に折り重ねられて剥離可能な第２の接着剤により擬似接着されているカード紙片付印刷物を提供して、上記課題を解決するものである。
【００１０】
請求項２記載の発明は、前記第１の用紙は、左側面部と中央面部と右側面部からなり、前記第２の用紙は、前記第１の用紙の中央面部に貼着されており、前記第１の用紙の左側面部と右側面部が、前記第１の用紙の中央面部に折り重ねられているカード紙片付印刷物を提供して、上記課題を解決するものである。
【００１１】
請求項３記載の発明は、前記第１の用紙は、左側面部と中央面部と右側面部からなり、前記第２の用紙は、前記第１の用紙の左側面部又は右側面部に貼着されており、前記第１の用紙の左側面部と右側面部が、前記第１の用紙の中央面部に折り重ねられているカード紙片付印刷物を提供して、上記課題を解決するものである。
【００１２】
請求項４記載の発明は、第１の用紙と、この第１の用紙に第２の用紙を貼着して形成した貼着部分と、第３の用紙と、前記貼着部分において、前記第１の用紙及び前記第２の用紙を打抜いて分離可能に形成したカード紙片とを備え、このカード紙片は、カード本体とこのカード本体に折り曲げ切断線を介して連接された隠蔽シール部を有し、このカード本体においては、前記第１の用紙と前記第２の用紙が非剥離性の第１の接着剤により貼着されており、前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、前記第３の用紙は、前記貼着部分に剥離可能な第２の接着剤により擬似接着されているカード紙片付印刷物を提供して、上記課題を解決するものである。
【００１３】
請求項５記載の発明は、前記折り曲げ切断線の一端において、前記第１の用紙及び／又は前記第２の用紙に、切欠き又は切り込みが設けられているカード紙片付印刷物を提供して、上記課題を解決するものである。
【００１４】
請求項６記載の発明は、第１の用紙とこの第１の用紙より幅の狭い第２の用紙を繰り出す用紙繰り出し工程と、前記第１の用紙又は前記第２の用紙に非剥離性の第１の接着剤及び再粘着性の粘着剤を互いに重ならないように塗布する接着剤及び粘着剤塗布工程と、前記第１の用紙と前記第２の用紙を前記第１の接着剤及び前記粘着剤で貼着した貼着部分を形成する貼着部分形成工程と、前記貼着部分において、前記第１の接着剤が塗布された部分と前記粘着剤が塗布された部分の境界の全部又は一部に折り曲げ切断線を入れる折り曲げ切断線形成工程と、前記第１の用紙又は前記貼着部分に剥離可能な第２の接着剤を塗布し、前記第１の用紙を前記貼着部分に折り重ねて擬似接着させる擬似接着工程と、前記貼着部分において、前記第１の用紙と前記第２の用紙を打抜いてカード紙片を形成するカード紙片形成工程とを備えたカード紙片付印刷物の製造方法を提供して、上記課題を解決するものである。
【００１５】
請求項７記載の発明は、前記第１の用紙は、左側面部と中央面部と右側面部からなり、前記接着剤及び粘着剤塗布工程においては、前記第１の用紙の左側面部又は右側面部、又は前記第２の用紙に前記第１接着剤及び前記粘着剤を互いに重ならないように塗布し、前記貼着部分形成工程においては、前記第１の用紙の左側面部又は右側面部と、前記第２の用紙を前記第１の接着剤及び前記粘着剤で貼着して貼着部分を形成し、前記擬似接着工程においては、さらに、前記第１の用紙の左側面部又は右側面部を前記第１の用紙の中央面部に折り重ねて擬似接着させるカード紙片付印刷物の製造方法を提供して、上記課題を解決するものである。
【００１６】
請求項８記載の発明は、前記第１の用紙は、左側面部と中央面部と右側面部からなり、前記接着剤及び粘着剤塗布工程においては、前記第１の用紙の中央面部又は前記第２の用紙に前記第１接着剤及び前記粘着剤を互いに重ならないように塗布し、前記貼着部分形成工程においては、前記第１の用紙の中央面部と前記第２の用紙を前記第１の接着剤及び前記粘着剤で貼着して貼着部分を形成し、前記擬似接着工程においては、さらに、前記第１の用紙の左側面部又は右側面部を前記第１の用紙の中央面部に折り重ねて擬似接着させるカード紙片付印刷物の製造方法を提供して、上記課題を解決するものである。
【００１７】
請求項９記載の発明は、第１の用紙、この第１の用紙より幅の狭い第２の用紙及び第３の用紙を繰り出す用紙繰り出し工程と、前記第１の用紙又は前記第２の用紙に非剥離性の第１の接着剤及び再粘着性の粘着剤を互いに重ならないように塗布する接着剤及び粘着剤塗布工程と、前記第１の用紙と前記第２の用紙を前記第１の接着剤及び前記粘着剤で貼着した貼着部分を形成する貼着部分形成工程と、前記貼着部分において、前記第１の接着剤が塗布された部分と前記粘着剤が塗布された部分の境界全部又は一部に折り曲げ切断線を入れる折り曲げ切断線形成工程と、前記第１の用紙及び前記貼り合せ部分に剥離可能な第２の接着剤を塗布し、前記第３の用紙を前記第１の用紙及び前記貼り合せ部分に重ねて擬似接着させる擬似接着工程と、前記貼着部分において、前記第１の用紙と前記第２の用紙を打抜いてカード紙片を形成するカード紙片形成工程とを備えたことをカード紙片付印刷物の製造方法を提供して、上記課題を解決するものである。
【００１８】
請求項１０記載の発明は、前記カード紙片形成工程においては、さらに、前記折り曲げ切断線の一端において、前記第１の用紙及び／又は前記第２の用紙を打抜いて、切欠き又は切り込みを形成するカード紙片付印刷物の製造方法を提供して、上記課題を解決するものである。
【発明の効果】
【００２１】
請求項１記載のカード紙片付印刷物においては、第１の用紙にこの第１の用紙より幅の狭い第２の用紙を貼着して貼着部分が形成され、この貼着部分において、前記第１の用紙及び前記第２の用紙を打抜いて分離可能にカード紙片が形成され、このカード紙片は、カード本体とこのカード本体に折り曲げ切断線を介して連接された隠蔽シール部を有し、このカード本体においては、前記第１の用紙と前記第２の用紙が非剥離性の第１の接着剤により貼着されており、前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、前記第１の用紙は、前記第２の用紙に折り重ねられて剥離可能な第２の接着剤により擬似接着されているため、カード紙片を隠蔽する隠蔽紙片を設けても、カード紙片及び隠蔽紙片を印刷物から容易に分離でき、位置合わせ等の手間をかけたりしわを発生させたりすることなく、隠蔽紙片をカード紙片に貼り付けられるという効果を奏する。
【００２２】
請求項２記載のカード紙片付印刷物は、請求項１記載のカード紙片付印刷物と同様の効果を奏する。
【００２３】
請求項３記載のカード紙片付印刷物は、請求項１記載のカード紙片付印刷物と同様の効果を奏する。
【００２４】
請求項４記載のカード紙片付印刷物においては、第１の用紙に第２の用紙を貼着して貼着部分を形成し、前記貼着部分において、前記第１の用紙及び前記第２の用紙を打抜いてカード紙片が分離可能に形成され、このカード紙片は、カード本体とこのカード本体に折り曲げ切断線を介して連接された隠蔽シール部を有し、このカード本体においては、前記第１の用紙と前記第２の用紙が非剥離性の第１の接着剤により貼着されており、前記隠蔽シール部においては、前記第１の用紙と前記第２の用紙が再粘着性の粘着剤層を介して貼着され、前記第１の用紙又は前記第２の用紙は、この粘着剤層から剥離して前記折り曲げ切断線より前記カード本体から分離できるようになっており、第３の用紙が前記貼着部分に剥離可能な第２の接着剤により擬似接着されているため、カード紙片を隠蔽する隠蔽紙片を設けても、カード紙片及び隠蔽紙片を印刷物から容易に分離でき、位置合わせ等の手間をかけたりしわを発生させたりすることなく、隠蔽紙片をカード紙片に貼り付けられるという効果を奏する。
【００２５】
請求項５記載のカード紙片付印刷物においては、前記折り曲げ切断線の一端において、前記第１の紙片及び／又は前記第２の紙片に、切欠き又は切り込みが設けられているため、さらに、前記第２の紙片は、前記粘着剤層から剥離して前記折り曲げ切断線より前記カード本体から容易に分離できるという効果を奏する。
【００２６】
請求項６記載のカード紙片付印刷物の製造方法においては、請求項１記載のカード紙片付印刷物を簡便な工程で効率よく製造できるという効果を奏する。
【００２７】
請求項７記載のカード紙片付印刷物の製造方法においては、請求項２記載のカード紙片付印刷物を簡便な工程で効率よく製造できるという効果を奏する。
【００２８】
請求項８記載のカード紙片付印刷物の製造方法においては、請求項３記載のカード紙片付印刷物を簡便な工程で効率よく製造できるという効果を奏する。
【００２９】
請求項９記載のカード紙片付印刷物の製造方法においては、請求項４記載のカード紙片付印刷物を簡便な工程で効率よく製造できるという効果を奏する。
【００３０】
請求項１０記載のカード紙片付印刷物の製造方法においては、請求項５記載のカード紙片付印刷物を簡便な工程で効率よく製造できるという効果を奏する。
【図面の簡単な説明】
【００３１】
【図１】本発明の第１実施形態である実施例１の隠蔽シール部付カードの平面図である。
【図２】図１のＸ１−Ｘ１断面図である。
【図３】図１に示す切欠き１４の近傍の拡大図である。
【図４】図３に示す切欠き１４の変形例となる切欠きの近傍の拡大図である。
【図５】切欠き１４に代わる切り込みの近傍の拡大図である。
【図６】隠蔽シール部付カード１０において、剥離紙２ｓを隠蔽紙片１ｓから剥がしながら折り曲げ切断線１３に沿って切り取る（切り離す）状態を表した説明図である。
【図７】隠蔽紙片１ｓを折り曲げ切断線１３から折り曲げてカード本体１１に貼着する状態を表した説明図である。
【図８】本発明の第２実施形態である実施例２のカード紙片付印刷物の平面図である。
【図９】実施例２のカード紙片付印刷物を正面から見た状態を模式的に表した説明図である。
【図１０】実施例２のカード紙片付印刷物の底面図である。
【図１１】図８のＸ２−Ｘ２断面図である。
【図１２】カード紙片付印刷物２０を開いた状態の平面図である。
【図１３】図１２の開いた状態のカード紙片付印刷物２０を正面から見た状態を模式的に表した説明図である。
【図１４】カード紙片付印刷物２０を製造するに際し、連続する１枚の用紙に施す加工の種類と位置を表した説明図である。
【図１５】本発明の第３実施形態である実施例３のカード紙片付印刷物の平面図である。
【図１６】実施例３のカード紙片付印刷物を正面から見た状態を模式的に表した説明図である。
【図１７】実施例３のカード紙片付印刷物の底面図である。
【図１８】図１５のＸ３−Ｘ３断面図である。
【図１９】カード紙片付印刷物４０を開いた状態の平面図である。
【図２０】図１９の開いた状態のカード紙片付印刷物４０を正面から見た状態を模式的に表した説明図である。
【図２１】カード紙片付印刷物４０を製造するに際し、第２の用紙を第１の用紙に貼り付けるまでの連続する１枚の用紙に施す加工の種類と位置を表した説明図である。
【図２２】カード紙片付印刷物４０を製造するに際し、第２の用紙を第１の用紙に貼り付けた後の連続する１枚の用紙に施す加工の種類と位置を表した説明図である。
【図２３】本発明の第４実施形態である実施例４のカード紙片付印刷物の平面図である。
【図２４】実施例４のカード紙片付印刷物を正面から見た状態を模式的に表した説明図である。
【図２５】実施例４のカード紙片付印刷物の底面図である。
【図２６】図２３のＸ４−Ｘ４断面図である。
【図２７】カード紙片付印刷物６０を開いた状態の平面図である。
【図２８】図２７の開いた状態のカード紙片付印刷物６０を正面から見た状態を模式的に表した説明図である。
【図２９】カード紙片付印刷物６０を製造するに際し、連続する１枚の用紙に施す加工の種類と位置を表した説明図である。
【図３０】本発明の第５実施形態である実施例５のカード紙片付印刷物の平面図である。
【図３１】実施例５のカード紙片付印刷物を正面から見た状態を模式的に表した説明図である。
【図３２】実施例５のカード紙片付印刷物の底面図である。
【図３３】図３０のＸ５−Ｘ５断面図である。
【図３４】カード紙片付印刷物８０を開いた状態の平面図である。
【図３５】図３４の開いた状態のカード紙片付印刷物８０を左側面から見た状態を模式的に表した説明図である。
【図３６】カード紙片付印刷物８０を製造するに際し、連続する１枚の用紙に施す加工の種類と位置を表した第１工程の説明図である。
【図３７】カード紙片付印刷物８０を製造するに際し、連続する１枚の用紙に施す加工の種類と位置を表した第２工程の説明図であるである。
【発明を実施するための形態】
【００３２】
以下、実施例１、実施例２、実施例３、実施例４及び実施例５に基づいて本発明を実施するための形態を説明する。
【実施例１】
【００３３】
［隠蔽シール部付カード（葉書）の構成］
図１は、本発明の第１実施形態である実施例１の隠蔽シール部付カードの平面図、図２は、図１のＸ１−Ｘ１断面図であり、図中、１は第１の紙片、１ｓは隠蔽紙片、２は第２の紙片、２ｓは剥離紙片、５は接着剤層、６は粘着剤層、７は剥離層、１０は隠蔽シール部付カード、１１はカード本体、１２は隠蔽シール部、１３は折り曲げ切断線、１４、１５は切欠き、１６は秘密情報記載欄である。
【００３４】
図１に示すように、隠蔽シール部付カード１０は、カード本体１１と、カード本体１１に連設され隠蔽シール部１２から構成され、カード本体１１の下方には、差出人の住所・氏名等の個人情報やその他の秘密情報を記載する秘密情報記載欄１６が設けられている。
そして、カード書本体１１と隠蔽シール部１２は、第１の紙片１と第２の紙片２を貫通するミシン目等の切り込みよりなる折り曲げ切断線１３によって仕切られ、折り曲げ切断線１３の両端部には、切欠き１４、１５が設けられている。
図２に示すように、隠蔽シール部付カード１０は、第１の紙片１と第２の紙片２が貼着されて形成され、このうち葉書本体１１においては、第１の紙片１と第２の紙片２が接着層５により貼着され、隠蔽シール部１２においては、第１の紙片１（隠蔽紙片１ｓ）と第２の紙片２（剥離紙片２ｓ）が粘着層６により貼着されている。
このように隠蔽シール部付カード１０においては、第１の紙片１と第２の紙片２が貼着され、第１の紙片１の一部が隠蔽紙片１ｓとなり、第２の紙片２の一部が剥離紙片２ｓとなって隠蔽シール部１２が形成されているため、カードに段差を設けることなく、隠蔽紙片が形成でき、印刷物としての見栄えが損なわれないようにすることができる。
【００３５】
［接着層５、粘着剤層６、剥離層７］
接着層５は、非剥離性の接着剤からなる接着層であり、粘着剤層６は、剥離性があり再接着可能な粘着剤からなる粘着層である。
そして、第１の紙片１の裏面は、隠蔽紙片１ｓの部分を除いてそのほぼ全面が、接着層５を介して第２紙片２と貼着されている。また、第１の紙片１の隠蔽紙片１ｓとなる部分の裏面は、粘着剤層６を介して第２の紙片２（剥離紙片２ｓ）と貼着されている（図２参照）。
また、第２の紙片２において、粘着剤層６が形成されている剥離紙片２ｓには、剥離性のインキ又は樹脂が塗布されて剥離層７が形成され、その上に粘着剤層６が形成されるようにし、剥離紙片２ｓを隠蔽紙片１ｓから剥がしたときに、粘着剤層６が隠蔽紙片１ｓの裏面に付着するようにされている。
なお、剥離層７は、剥離紙片２ｓを粘着剤層６から剥がし易くし、剥離紙片２ｓに粘着剤が付着しにくくするために設けられているものであり、剥離層７を設けなくてもよい。
【００３６】
［切欠き１４等］
図３は、図１に示す切欠き１４の近傍の拡大図であり、図において、１３ｋは切り込み、１４ａ、１４ｂは傾斜面である。
図３に示すように、切欠き１４は、折り曲げ切断線１３の一端を、傾斜面１４ａ、１５ｂからなるくさび形状に切り欠いて形成され、その先端部（傾斜面１４ａ、１５ｂの交線部）は、折り曲げ切断線１３を形成する切り込み１３ｋ（右側の切り込み１３ｋ）と繋がっている。
この切欠き１４は、第２紙片２において、剥離紙片２ｓを隠蔽紙片１ｓから剥がしながら折り曲げ切断線１３から切り取る（切り離す）際の切り取り（切り離し）のきっかけとなるもので、切欠き１４により、剥離紙片２ｓを剥がしながら折り曲げ切断線１３から容易に切り取る（切り離す）ことができる。
本実施例においては、折り曲げ切断線１３の他端にも切欠き１４と同じ切欠き１５を設けているが、これは、左右のどちらからも剥離紙片２ｓを剥がしながら容易に切り取る（切り離す）ことができるようにするためである。
なお、切欠き１４の先端部と右側の切り込み１３ｋは繋がっているが、両者は離れていてもよい。
図４は、図３に示す切欠き１４の変形例となる切欠きの近傍の拡大図であり、図において、１４Ｘ、１４Ｙは切欠きである。図４に示すように、折り曲げ切断線１３の一端に設ける切欠きは、傾斜面と水平面からなるくさび形状の切欠き１４Ｘ（図４（ａ））や、切欠き１４Ｙ（同図（ｂ））であってもよい。
図５は切欠き１４に代わる切り込みの近傍の拡大図であり、図において、１４Ｚは切り込みである。  図５に示すように、折り曲げ切断線１３の一端には、切欠き１４に代えて切り込み１４Ｚを設けてもよい。この切り込み１４Ｚは、切り込み１３ｋより長い切り込みとなっている。
なお、図４、５においては、切欠き１４Ｘ、１４Ｙの先端部や切り込み１４Ｚの先端部と右側の切り込み１３ｋは繋がっているが、切欠き１４と同様に両者は離れていてもよい。
本実施例においては、切欠き１４、１４Ｘ、１４Ｙや切り込み１４Ｚは、第１の紙片１と第２の紙片の両方を打抜く等して設けられているが、剥離紙２ｓとなる第２紙片２のみにこのような切欠きや切り込みを設けてもよい。
また、切欠き１４、１４Ｘ、１４Ｙや切り込み１４Ｚは、折り曲げ切断線１３のいずれかの一端のみに設けてもよく、折り曲げ切断線１３の両端に設けてもよい。
【００３７】
［隠蔽シール部付カード１０の使用方法］
図６は、隠蔽シール部付カード１０において、剥離紙２ｓを隠蔽紙片１ｓから剥がしながら折り曲げ切断線１３に沿って切り取る（切り離す）状態を表した説明図、図７は、隠蔽紙片１ｓを折り曲げ切断線１３から折り曲げてカード本体１１に貼着する状態を表した説明図である。
以下、図に基づいて隠蔽シール部付カード１０の使用方法について説明する。
まず、図６に示すように、隠蔽シール部付カード１０において、剥離紙２ｓを隠蔽紙片１ｓから剥がしながら折り曲げ切断線１３に沿って切り取る（切り離す）。図６（ａ）は、隠蔽紙片１ｓから剥離紙２ｓを剥がす途中の状態を表し、図６（ｂ）は、隠蔽紙片１ｓから剥離紙２ｓを剥がし終わった状態を表している。
この場合、剥離紙２ｓは、剥離層７を介して粘着剤層６に貼着され、粘着剤層６と剥離層７は容易に剥離するため、粘着剤層６を隠蔽紙片１ｓに残して、剥離紙２ｓを隠蔽紙片１ｓから剥がすことができる。
また、折り曲げ切断線１３の両端には、切欠き１４、１５が設けられているため、剥離紙２ｓを隠蔽紙片１ｓから剥がしながら折り曲げ切断線１３に沿って容易に切り取る（切り離す）ことができる。
次いで、図７に示すように、隠蔽シール部付カード１０において、隠蔽紙片１ｓを折り曲げ切断線１３から折り曲げてカード本体１１に貼着し、秘密情報記載欄１６記載された秘密情報を隠蔽する。図７（ａ）は、隠蔽紙片１ｓを折り曲げ切断線１３から折り曲げている途中の状態を表し、図７（ｂ）は、隠蔽紙片１ｓを折り曲げてカード本体１１に貼着し終わった状態を表している。
カード本体１１は、葉書、クーポン等のサービス券、チケット類、会員証等として使用することができ、例えば、カード本体１１を葉書として使用する場合は、秘密情報記載欄１６に差出人の住所、氏名等の個人情報を記載して投函すれば、個人情報を隠蔽した状態で、カード本体１１を葉書として郵送することができる。
【実施例２】
【００３８】
［カード紙片付印刷物の構成］
図８は、本発明の第２実施形態である実施例２のカード紙片付印刷物の平面図、図９は、実施例２のカード紙片付印刷物を正面から見た状態を模式的に表した説明図、図１０は、実施例２のカード紙片付印刷物の底面図、図１１は、図８のＸ２−Ｘ２断面図である。
図中、２０はカード紙片付印刷物、２１は第１の用紙、２１ａは左側面部、２１ｂは右側面部、２１ｓは隠蔽紙片、２２は第２の用紙、２２ｓは剥離紙片、２４は第１の用紙２１に第２の用紙２２を貼着した貼着部分、２５は第１の接着剤層、２６は粘着剤層、２７は剥離層、２８（２８ａ、２８ｂ、２８ｃ）は第２の接着剤層、３０はカード紙片、３０ａは打ち抜き枠、３０ｂは切り込み、３１はカード本体、３２は隠蔽シール部、３３は折り曲げ切断線、３４、３５は切欠き、３６は秘密情報記載欄である。
【００３９】
図８〜図１１に示すように、カード紙片付印刷物２０は、左側面部２１ａと右側面部２１ｂからなる第１の用紙２１と、第１の用紙２１の左側面部２１ａに、第２の用紙２２が第１の接着剤層２５と粘着剤層２６を介して貼着され、これにより形成された貼着部分２４とから構成される。
貼着部分２４においては、第１の用紙２１（左側面部２１ａ）と第２の用紙２２の両方が打抜かれて形成された打ち抜き枠３０ａと切り込み３０ｂによりカード紙片３０が形成されている。
カード紙片３０は、実施例１の隠蔽シール部付葉書（カード）１０と同様の構成を有している。
すなわち、カード紙片３０においては、第１の用紙２１と第２の用紙２２を貫通するミシン目等の切り込みよりなる折り曲げ切断線３３が設けられて、カード本体３１と隠蔽シール部３２が形成され、折り曲げ切断線３３の両端には、第１の用紙２１と第２の用紙２２がくさび形状に打ち抜かれて切欠き３４、３５が形成されている。
カード本体３１においては、第１の用紙２１と第２の用紙２２が第１の接着剤層２５を介して貼着され、隠蔽シール部３２おいては、隠蔽紙片２１ｓ（第１の用紙２１）と剥離紙片２２ｓ（第２の用紙２２）が粘着剤層２６と剥離層２７を介して貼着されている。
そして、カード紙片付印刷物２０において、左側面部２１ａと右側面部２１ｂが折り重ねられ、右側面部２１が第の接着剤層２８（２８ａ、２８ｂ、２８ｃ）を介して第２の用紙２２（貼着部分２４）に擬似接着されている。
【００４０】
［第１の接着剤層２５、粘着剤層２６、剥離層２７］
第１の接着剤層２５は、接着層５と同様に非剥離性の接着剤からなる接着層であり、粘着剤層２６は、粘着剤層６と同様に剥離性があり再接着可能な粘着剤からなる粘着層である。
そして、貼着部分２４において、折り曲げ切断線３３（その延長線を含む）で仕切られる領域の広い側は、第１の接着剤層２５を介して第１の用紙２１と第２の用紙２２が貼着され、その狭い側は、粘着剤層２６を介して第１の用紙２１と第２の用紙２２が貼着され、さらに、この狭い側において、第２の用紙２２のうち剥離紙片２２ｓとなる部分には、剥離層７と同様に剥離性のインキ又は樹脂が塗布されて剥離層２７が形成され、その上に粘着剤層２６が形成されるようにし、剥離紙片２２ｓを隠蔽紙片２１ｓから剥がしたときに、粘着剤層２６が隠蔽紙片２１ｓの裏面に付着するようにされている。
なお、この剥離層２７は、隠蔽シール部付カード１０の剥離層７と同様に設けなくてもよい。
【００４１】
［第２の接着剤層２８］
第２の接着剤層２８は、容易に剥離可能で通常の状態では再接着しない接着剤からなる擬似接着層である。そして、右側面部２１ｂと第２の用紙２２（貼着部分２４）を擬似接着する第２の接着剤層２８は、右側面部２１ｂの上縁、右縁、下縁の近傍に設けられた第２の接着剤層２８ａと、カード紙片３０のうちカード本体３１に重なる右側面部２１ｂの部分に設けられた第２の接着剤層２８ｂと、カード紙片３０のうち隠蔽シール部３２に重なる右側面部２１ｂの部分に設けられた第２の接着剤層２８ｃとからなる（図１１参照）。
【００４２】
［カード紙片付印刷物２０の使用方法］
図１２は、カード紙片付印刷物２０を開いた状態の平面図、図１３は、図１２の開いた状態のカード紙片付印刷物２０を正面から見た状態を模式的に表した説明図であり、図中、３０ｃは開口部、ｆ２１は折り線である。
以下図に基づいてカード紙片付印刷物２０の使用方法について説明する。
カード紙片付印刷物２０においては、第２の接着剤層２８（２８ａ、２８ｂ、２８ｃ）が容易に剥離するため、右側面部２１ｂを第２の用紙２２（貼着部分２４）から剥がして折り線ｆ２１に沿って折り返すことにより、容易にカード紙片付印刷物２０を開くことができる。
このようにしてカード紙片付印刷物２０の右側面部２１ｂを開くと、カード紙片３０の周囲が打抜かれて切り込み３０ｂが形成されているから、カード紙片３０は、右側面部２１ｂに付着（第２の接着剤層２８ｂ、２８ｃにより擬似接着）した状態で、貼着部分２４から分離され、貼着部分２４には、切り込み枠３０ａによる開口部３０ｃが形成される（図１２参照）。
そして、右側面部２１ｂに第２の接着剤層２８ｂ、２８ｃを介して擬似接着されているカード紙片３０は、右側面部２１ｂから容易に剥がすことができる。
【００４３】
このカード紙片３０は、隠蔽シール部付カード１０と同様の構成であり、隠蔽シール部付カード１０と同じように葉書、クーポン等のサービス券、チケット類、会員証等として使用することができる。
すなわち、カード紙片３０において、剥離紙２２ｓを隠蔽紙片２１ｓから剥がしながら折り曲げ切断線３３に沿って切り取る（切り離す）
この場合、剥離紙２２ｓは、剥離層２７を介して粘着剤層２６に貼着され、粘着剤層２６と剥離層２７は容易に剥離するため、粘着剤層２６を隠蔽紙片２１ｓに残して、剥離紙２２ｓを隠蔽紙片２１ｓから剥がすことができる。
また、折り曲げ切断線３３の両端には、切欠き３４、３５が設けられているため、剥離紙２２ｓを隠蔽紙片２１ｓから剥がしながら折り曲げ切断線３３に沿って容易に切り取る（切り離す）ことができる。
次いで、カード紙片３０において、隠蔽紙片２１ｓを折り曲げ切断線３３から折り曲げてカード本体３１に貼着し、秘密情報記載欄３６記載された秘密情報を隠蔽する。
カード本体３１は、隠蔽シール部付カード１０のカード本体１１と同様に、葉書、クーポン等のサービス券、チケット類、会員証等として使用することができ、例えば、カード本体３１を葉書として使用する場合は、秘密情報記載欄３６に差出人の住所、氏名等の個人情報を記載して投函すれば、個人情報を隠蔽した状態で、カード本体３１を葉書として郵送することができる。
【００４４】
［カード紙片付印刷物２０の製造方法］
カード紙片付印刷物２０は、連続する１枚の用紙に、印刷、切断、打抜き、折り、接着剤（粘着剤を含む）塗布、貼着等の加工を施すことにより、製造することができる。
図１４は、カード紙片付印刷物２０を製造するに際し、連続する１枚の用紙に施す加工の種類と位置を表した説明図である。
図において、Ａは、連続する１枚の用紙であり、２点鎖線で示すＡｘ１は、用紙の縦方向（進行方向）の切断位置を示す切断予定線、２点鎖線で示すＡｙ１、Ａｙ２は、用紙の横方向（進行方向と直角方向）の切断位置を示す切断予定線、１点鎖線で示すＡｕ１は、打ち抜く位置を示す打ち抜き予定線、破線で示すＡｍ１は、ミシン目を入れる位置を示すミシン目予定線、点線で示すＡｔ１は、縦方向の折り位置を示す縦折り予定線、各種網点で示すＡｒ１〜Ａｒ６は、接着剤（粘着剤を含む）を塗布する領域を示す接着剤塗布予定領域である。なお、本実施例における接着剤塗布予定領域Ａｒ５は、横長の長方形を上下に２個、縦長の長方形を左右に３個並べたパターン状となっているが、接着剤塗布予定領域Ａｒ５は、これに限定されるものではなく、任意の形状・パターンとすることができる。
【００４５】
ここで、切断予定線Ａｙ１とＡｙ２の間隔ｐ１が、カード紙片付印刷物２０の縦方向の長さとなり、切断予定線Ａｙ１とＡｙ２で仕切られる領域から１枚のカード紙片付印刷物２０が製造される。
そして、切断予定線Ａｙ１とＡｙ２で仕切られる領域のうち、切断予定線Ａｘ１と縦折り予定線Ａｔ１で仕切られる領域Ａ１が第１の用紙２０の左側面部２１ａとなり、縦折り予定線Ａｔ１と用紙Ａの右端で仕切られる領域Ａ２が第１の用紙２１の右側面部２１ｂとなり、用紙Ａの左端と切断予定線Ａｘ１で仕切られる領域Ａ３が第２の用紙２２となり、ミシン目予定線Ａｍ１は、折り曲げ切断線３３となり、縦折り予定線Ａｔ１は、折り線ｆ２１となる。
【００４６】
以下、カード紙片付印刷物２０の製造方法を具体的に説明する。
まず、輪転印刷機（図示せず）の給紙部から巻取状の用紙Ａを繰り出し、その表裏面に所定の印刷を施す。このとき、第２の用紙２２（領域Ａ３）の接着剤塗布予定領域Ａｒ３に剥離性のインキ又は樹脂を塗布して剥離層２７を形成しておく。
次いで、印刷された用紙Ａは、加工機（図示せず）により、切断予定線Ａｘ１で切断され、第１の用紙２１（領域Ａ１、Ａ２）と第２の用紙２２（領域Ａ３）に分割される。
そして、第２の用紙２２（領域Ａ３）の接着剤塗布予定領域Ａｒ１に非剥離性の接着剤が塗布されて第１の接着剤層２５が形成され、第１の用紙２１の左側面部２１ａ（領域Ａ１）の接着剤塗布予定領域Ａｒ２に剥離性があり再接着可能な粘着剤が塗布されて粘着剤層２６が形成される。
本実施例においては、第１の接着剤層２５は、第２の用紙２２に形成されているが、第１の用紙２１の左側面部２１ａに形成してもよく、また、粘着剤層２６は、第１の用紙２１の左側面部２１ａに形成されているが、第２の用紙２２に形成してもよい。
なお、剥離層２７の形成は印刷工程で行ったが、第１の接着剤層２５の形成に併せて、接着剤塗布予定領域Ａｒ３に剥離性の樹脂を塗布して剥離層２７を形成してもよく、また、剥離層２７の形成を省略してもよい。
【００４７】
その後、第２の用紙２２の裏面が第１の用紙２１の左側面部２１ａ（領域Ａ１）に重ねられて接着されて貼着部分２４が形成され、第１の接着剤層２５と粘着剤層２６の境界に位置するミシン目予定線Ａｍ１に沿って横ミシンが入れられて、折り曲げ切断線３３が形成される。
次いで、第１の用紙２１の右側面部２１ｂ（領域Ａ２）の接着剤塗布予定領域Ａｒ３〜Ａｒ６に容易に剥離可能で再接着しない接着剤が塗布されて第２の接着剤層２８（２８ａ、２８ｂ、２８ｃ）が形成される。
その後、縦折り予定線Ａｔ１に沿って、右側面部２１ｂ（領域Ａ４）が貼着部分２４の第２の用紙２２（領域Ａ３）の表面に折り重ねられて第２の接着剤層２８（２８ａ、２８ｂ、２８ｃ）で疑似接着され、貼着部分２４の第１の用紙２１と第２の用紙２２が打ち抜き予定線Ａｕ１に沿って打ち抜かれ、打ち抜き枠３０ａ（切り込み３０ｂ）、切欠き３４、３５が形成される。
最後に、折り重ねられて擬似接着された第１の用紙２１は、これに貼着された第２の用紙２２と共に、切断予定線Ａｙ１、Ａｙ２で切断されて、カード紙片付印刷物２０となる。
このようにして、用紙Ａからカード紙片付印刷物２０が連続的に製造される。
【実施例３】
【００４８】
［カード紙片付印刷物の構成］
図１５は、本発明の第３実施形態である実施例３のカード紙片付印刷物の平面図、図１６は、実施例３のカード紙片付印刷物を正面から見た状態を模式的に表した説明図、図１７は、実施例３のカード紙片付印刷物の底面図、図１８は、図１５のＸ３−Ｘ３断面図である。
図中、４０はカード紙片付印刷物、４１は第１の用紙、４１ａは左側面部、４２ｂは中央面部、４１ｃは右側面部、４１ｓは隠蔽紙片、４２は第２の用紙、４２ｓは剥離紙片、４４は第１の用紙４１に第２の用紙４２を貼着した貼着部分、４５は第１の接着剤層、４６は粘着剤層、４７は剥離層、４８（４８ａ、４８ｂ、４８ｃ）は第２の接着剤層、５０はカード紙片、５０ａは打ち抜き枠、５０ｂは切り込み、５１はカード本体、５２は隠蔽シール部、５３は折り曲げ切断線、５４、５５は切欠き、５６は秘密情報記載欄である。
【００４９】
図１５〜図１８に示すように、カード紙片付印刷物４０は、左側面部４１ａ、中央面部４１ｂ、右側面部４１ｃからなる第１の用紙４１と、第１の用紙４１の左側面部４１ａに、第２の用紙４２が第１の接着剤層４５と粘着剤層４６を介して貼着され、これにより形成された貼着部分４４とから構成される。
貼着部分４４においては、第１の用紙４１（左側面部２１ａ）と第２の用紙４２の両方が打抜かれて形成された打ち抜き枠５０ａと切り込み５０ｂによりカード紙片５０が形成されている。
実施例３のカード紙片付印刷物４０は、左側面部４１ａ、中央面部４２ｂ、右側面部４１ｃの３面からなる点で、左側面部２１ａと右側面部２１ｂの２面からなる実施例２のカード紙片付印刷物２０と相違している。
そして、カード紙片５０は、実施例１の隠蔽シール部付カード１０や実施例２のカード紙片３０と同様の構成を有している。
すなわち、カード紙片５０においては、第１の用紙４１と第２の用紙４２を貫通するミシン目等の切り込みよりなる折り曲げ切断線５３が設けられて、カード本体５１と隠蔽シール部５２が形成され、折り曲げ切断線５３の両端には、第１の用紙４１と第２の用紙４２がくさび形状に打ち抜かれて切欠き５４、５５が形成されている。
カード本体５１においては、第１の用紙４１と第２の用紙４２が第１の接着剤層４５を介して貼着され、隠蔽シール部４２おいては、隠蔽紙片４１ｓ（第１の用紙４１）と剥離紙片４２ｓ（第２の用紙４２）が粘着剤層４６と剥離層４７を介して貼着されている。
そして、カード紙片付印刷物４０において、左側面部４１ａ（貼着部分４４）と右側面部４１ｃが中央面部４１ｂ側に折り重ねられ、貼着部分４４の第２の用紙４２側が第２の接着剤層４８（４８ａ、４８ｂ、４８ｃ）を介して中央面部４１ｂに擬似接着され、右側面部４１ｃが第２の接着剤層４８を介して中央面部４１ｂに擬似接着されている。
なお、本実施例では、第２の用紙４２の横幅は、左側面部４１ａの幅と同じになっているが、第２の用紙４２の横幅は、これに限定されるものではなく、第１の用紙４１の幅より狭ければよい。
【００５０】
［第１の接着剤層４５、粘着剤層４６、剥離層４７］
第１の接着剤層４５、粘着剤層４６、剥離層４７の構成は、実施例２のカード紙片付印刷物２０の第１の接着剤層２５、粘着剤層２６、剥離層２７の構成と同じである。
すなわち、貼着部分４４において、折り曲げ切断線５３（その延長線を含む）で仕切られる領域の広い側は、第１の接着剤層５５を介して第１の用紙５１と第２の用紙５２が貼着され、その狭い側は、粘着剤層５６を介して第１の用紙５１と第２の用紙５２が貼着され、さらに、この狭い側において、第２の用紙５２のうち剥離紙片５２ｓとなる部分には、剥離性のインキ又は樹脂が塗布されて剥離層５７が形成され、その上に粘着剤層４６が形成されるようにし、剥離紙片４２ｓを隠蔽紙片４１ｓから剥がしたときに、粘着剤層４６が隠蔽紙片４１ｓの裏面に付着するようにされている。
なお、剥離層４７は、剥離層２７と同様に設けなくてもよい。
【００５１】
［第２の接着剤層４８］
第２の接着剤層４８は、実施例２のカード紙片付印刷物２０の第２の接着剤層２８と同様に容易に剥離可能で通常の状態では再接着しない接着剤からなる擬似接着層である。
そして、貼着部分４４と中央面部４１ｂを擬似接着する第２の接着剤層４８は、貼着部分４４の第２の用紙４２の上縁、右縁、下縁の近傍に設けられた第２の接着剤層４８ａと、カード紙片５０のうちカード本体５１に設けられた第２の接着剤層４８ｂと、カード紙片５０のうち隠蔽シール部５２に設けられた第２の接着剤層４８ｃとからなる（図１８参照）。
また、右側面部４１ｃと、中央面部４１ｂを擬似接着する第２の接着剤層４８は、右側面部４１ｃの上縁、右縁、下縁の近傍に設けられている。
【００５２】
［カード紙片付印刷物４０の使用方法］
図１９は、カード紙片付印刷物４０を開いた状態の平面図、図２０は、図１９の開いた状態のカード紙片付印刷物４０を正面から見た状態を模式的に表した説明図であり、図中、５０ｃは開口部、ｆ４１、ｆ４２は折り線である。
以下図に基づいてカード紙片付印刷物４０の使用方法について説明する。
カード紙片付印刷物４０においては、第２の接着剤層４８が容易に剥離するため、貼着部分４４を中央面部４１ｂから剥がして折り線ｆ４１に沿って折り返し、右側面部４１ｃを中央面部４１ｂから剥がして折り線ｆ４２に沿って折り返すことにより、容易にカード紙片付印刷物４０を開くことができる。
このようにしてカード紙片付印刷物４０を開くと、カード紙片５０の周囲が打抜かれて切り込み５０ｂが形成されているから、カード紙片５０は、中央面部２１ｂに付着（第２の接着剤層４８ａ、４８ｂ、４８ｃにより擬似接着）した状態で、貼着部分４４から分離され、貼着部分４４には、切り込み枠４０ａによる開口部４０ｃが形成される（図１９参照）。
そして、中央面部４１ｂに第２の接着剤層４８ａ、４８ｂ、４８ｃを介して擬似接着されているカード紙片５０は、中央面部４１ｂから容易に剥がすことができる。
【００５３】
このカード紙片５０は、隠蔽シール部付カード１０やカード紙片３０と同様の構成であり、葉書、クーポン等のサービス券、チケット類、会員証等として使用することができる。
すなわち、カード紙片５０において、剥離紙４２ｓを隠蔽紙片４１ｓから剥がしながら折り曲げ切断線５３に沿って切り取る（切り離す）
この場合、剥離紙４２ｓは、剥離層４７を介して粘着剤層４６に貼着され、粘着剤層４６と剥離層４７は容易に剥離するため、粘着剤層４６を隠蔽紙片４１ｓに残して、剥離紙４２ｓを隠蔽紙片４１ｓから剥がすことができる。
また、折り曲げ切断線５３の両端には、切欠き５４、５５が設けられているため、剥離紙４２ｓを隠蔽紙片４１ｓから剥がしながら折り曲げ切断線５３に沿って容易に切り取る（切り離す）ことができる。
次いで、カード紙片５０において、隠蔽紙片４１ｓを折り曲げ切断線５３から折り曲げてカード本体５１に貼着し、秘密情報記載欄５６記載された秘密情報を隠蔽する。
カード本体５１は、カード本体１１やカード本体３１と同様に、葉書、クーポン等のサービス券、チケット類、会員証等として使用することができ、例えば、カード本体５１を葉書として使用する場合は、秘密情報記載欄５６に差出人の住所、氏名等の個人情報を記載して投函すれば、個人情報を隠蔽した状態で、カード本体５１を葉書として郵送することができる。
【００５４】
［カード紙片付印刷物４０の製造方法］
カード紙片付印刷物４０は、連続する１枚の用紙に、印刷、切断、打抜き、折り、接着剤（粘着剤を含む）塗布、貼着等の加工を施すことにより、製造することができる。
図２１及び図２２は、カード紙片付印刷物４０を製造するに際し、連続する１枚の用紙に施す加工の種類と位置を表した説明図であり、図２１は第２の用紙を第１の用紙に貼り付けるまでを説明し、図２２はそれ以降を説明したものである。
図において、Ｂは、連続する１枚の用紙であり、２点鎖線で示すＢｘ１は、用紙の縦方向（進行方向）の切断位置を示す切断予定線、２点鎖線で示すＢｙ１、Ｂｙ２は、用紙の横方向（進行方向と直角方向）の切断位置を示す切断予定線、１点鎖線で示すＢｕ１は、打ち抜く位置を示す打ち抜き予定線、破線で示すＢｍ１は、ミシン目を入れる位置を示すミシン目予定線、点線で示すＢｔ１、Ｂｔ２は、縦方向の折り位置を示す縦折り予定線、各種網点で示すＢｒ１〜Ｂｒ６は、接着剤（粘着剤を含む）を塗布する領域を示す接着剤塗布予定領域である。なお、本実施例における接着剤塗布予定領域Ｂｒ５は、横長の長方形を上下に２個、縦長の長方形を左右に３個並べたパターン状となっているが、接着剤塗布予定領域Ｂｒ５は、これに限定されるものではなく、任意の形状・パターンとすることができる。
【００５５】
ここで、切断予定線Ｂｙ１とＢｙ２の間隔ｐ２が、カード紙片付印刷物４０の縦方向の長さとなり、切断予定線Ｂｙ１とＢｙ２で仕切られる領域から１枚のカード紙片付印刷物４０が製造される。
そして、切断予定線Ｂｙ１とＢｙ２で仕切られる領域のうち、切断予定線Ｂｘ１と縦折り予定線Ｂｔ１で仕切られる領域Ｂ１が第１の用紙４１の左側面部４１ａとなり（第２の用紙を第１の用紙に貼り合せた後は貼着部分４４となる）、縦折り予定線Ｂｔ１と縦折り予定線Ｂｔ２で仕切られる領域Ｂ２が第１の用紙４１の中央面部４１ｂとなり、縦折り予定線Ｂｔ２と用紙Ｂの右端で仕切られる領域Ｂ３が第１の用紙４１の右側面部４１ｃとなり、用紙Ｂの左端と切断予定線Ｂｘ１で仕切られる領域Ｂ４が第２の用紙４２となり、ミシン目予定線Ｂｍ１は、折り曲げ切断線５３となり、縦折り予定線Ｂｔ１、Ｂｔ２は、折り線ｆ４１、ｆ４２となる。
【００５６】
以下、カード紙片付印刷物４０の製造方法を具体的に説明する。
まず、輪転印刷機（図示せず）の給紙部から巻取状の用紙Ｂを繰り出し、その表裏面に所定の印刷を施す。このとき、第２の用紙４２（領域Ｂ４）の接着剤塗布予定領域Ｂｒ３に剥離性のインキ又は樹脂を塗布して剥離層４７を形成しておく。
次いで、印刷された用紙Ｂは、加工機（図示せず）により、切断予定線Ｂｘ１で切断され、第１の用紙４１（領域Ｂ１、Ｂ２、Ｂ３）と第２の用紙４２（領域Ｂ４）に分割される（図２１参照）。
そして、第２の用紙４２（領域Ｂ４）の接着剤塗布予定領域Ｂｒ１に非剥離性の接着剤が塗布されて第１の接着剤層４５が形成され、第１の用紙４１の左側面部４１ａ（領域Ｂ１）の接着剤塗布予定領域Ｂｒ２に剥離性があり再接着可能な粘着剤が塗布されて粘着剤層４６が形成される。
本実施例においては、第１の接着剤層４５は、第２の用紙４２に形成されているが、第１の用紙４１の左側面部４１ａに形成してもよく、また、粘着剤層４６は、第１の用紙４１の左側面部４１ａに形成されているが、第２の用紙４２に形成してもよい。
なお、剥離層４７の形成は印刷工程で行ったが、第１の接着剤層４５の形成に併せて、接着剤塗布予定領域Ｂｒ３に剥離性の樹脂を塗布して剥離層４７を形成してもよく、また、剥離層４７の形成を省略してもよい。
【００５７】
その後、第２の用紙４２の裏面が第１の用紙４１の左側面部２１ｂ（領域Ｂ１）に重ねられて接着されて貼着部分４４が形成され、第１の接着剤層４５と粘着剤層４６の境界に位置するミシン目予定線Ｂｍ１に沿って横ミシンが入れられて、折り曲げ切断線５３が形成される。
次いで、貼着部分４４（領域Ｂ１・Ｂ４）の接着剤塗布予定領域Ｂｒ４、Ｂｒ５に容易に剥離可能で再接着しない接着剤が塗布されて第２の接着剤層４８（４８ａ、４８ｂ、４８ｃ）が形成され、さらに、第１の用紙４１の右側面部４１ｃ（領域Ｂ３）の接着剤塗布予定領域Ｂｒ６に同様の接着剤が塗布されて第２の接着剤層４８が形成される（図２２参照）。
その後、縦折り予定線Ｂｔ１に沿って、貼着部分４４（領域Ｂ１・Ｂ４）が中央面部４１ｂ（領域Ｂ２）の左半分に折り重ねられて第２の接着剤層４８（４８ａ、４８ｂ、４８ｃ）で疑似接着され、さらに、縦折り予定線Ｂｔ２に沿って、右側面部４１ｃ（領域Ｂ３）が中央面部４１ｂ（領域Ｂ２）の右半分に折り重ねられて第２の接着剤層４８で擬似接着された後、貼着部分４４の第１の用紙４１と第２の用紙４２が打ち抜き予定線Ｂｕ１に沿って打ち抜かれ、打ち抜き枠５０ａ（切り込み５０ｂ）、切欠き５４、５５が形成される。
最後に、折り重ねられて擬似接着された第１の用紙４１は、これに貼着された第２の用紙４２と共に、切断予定線Ｂｙ１、Ｂｙ２で切断されて、カード紙片付印刷物４０となる。
このようにして、用紙Ｂからカード紙片付印刷物４０が連続的に製造される。
【実施例４】
【００５８】
［カード紙片付印刷物の構成］
図２３は、本発明の第４実施形態である実施例４のカード紙片付印刷物の平面図、図２４は、実施例４のカード紙片付印刷物を正面から見た状態を模式的に表した説明図、図２５は、実施例４のカード紙片付印刷物の底面図、図２６は、図２３のＸ４−Ｘ４断面図である。
図中、６０はカード紙片付印刷物、６１は第１の用紙、６１ａは左側面部、６２ｂは中央面部、６１ｃは右側面部、６１ｓは隠蔽紙片、６２は第２の用紙、６２ｓは剥離紙片、６４は第１の用紙６１に第２の用紙６２を貼着した貼着部分、６５は第１の接着剤層、６６は粘着剤層、６７は剥離層、６８（６８ａ、６８ｂ、６８ｃ）は第２の接着剤層、７０はカード紙片、７０ａは打ち抜き枠、７０ｂは切り込み、７１はカード本体、７２は隠蔽シール部、７３は折り曲げ切断線、７４、７５は切欠き、７６は秘密情報記載欄である。
【００５９】
図２３〜図２６に示すように、カード紙片付印刷物６０は、左側面部６１ａ、中央面部６１ｂ、右側面部６１ｃからなる第１の用紙６１と、第１の用紙６１の中央面部６１ｂの左半分に、第２の用紙６２が第１の接着剤層６５と粘着剤層６６を介して貼着され、これにより形成された貼着部分６４とから構成される。
貼着部分６４においては、第１の用紙６１（中央面部６１ｂ）と第２の用紙６２の両方が打抜かれて形成された打ち抜き枠７０ａと切り込み７０ｂによりカード紙片７０が形成されている。
実施例４のカード紙片付印刷物６０は、実施例３のカード紙片付印刷物４０と同様に、左側面部６１ａ、中央面部６２ｂ、右側面部６１ｃの３面からなるが、第２の用紙６２が中央面部６２ｂに貼着されている点で、第２の用紙４２が左側面部４１ａに貼着されているカード紙片付印刷物４０と相違している。
そして、カード紙片７０は、実施例１〜３の隠蔽シール部付カード１０、カード紙片３０、５０と同様の構成を有している。
すなわち、カード紙片７０においては、第１の用紙７１と第２の用紙７２を貫通するミシン目等の切り込みよりなる折り曲げ切断線７３が設けられて、カード本体７１と隠蔽シール部７２が形成され、折り曲げ切断線７３の両端には、第１の用紙６１と第２の用紙６２がくさび形状に打ち抜かれて切欠き７４、７５が形成されている。
カード本体７１においては、第１の用紙６１と第２の用紙６２が第１の接着剤層６５を介して貼着され、隠蔽シール部６２おいては、隠蔽紙片６１ｓ（第１の用紙６１）と剥離紙片６２ｓ（第２の用紙６２）が粘着剤層６６と剥離層６７を介して貼着されている。
そして、カード紙片付印刷物６０において、貼着部分６４の第２の用紙６２側が中央面部６１ｂに折り重ねられて、第２の接着剤層６８（６８ａ、６８ｂ、６８ｃ）を介して中央面部６１ｂに擬似接着され、右側面部６１ｃが中央面部６１ｂに折り重ねられて、第２の接着剤層６８を介して中央面部６１ｂに擬似接着されている。
なお、本実施例では、第２の用紙６２の横幅は、左側面部６１ａの幅と同じになっているが、第２の用紙６２の横幅は、これに限定されるものではなく、第１の用紙６１の幅より狭ければよい。
【００６０】
［第１の接着剤層６５、粘着剤層６６、剥離層６７］
第１の接着剤層６５、粘着剤層６６、剥離層６７の構成は、実施例２、３のカード紙片付印刷物２０、４０の第１の接着剤層２５、４５、粘着剤層２６、４６、剥離層２７、４７の構成と同じである。
すなわち、貼着部分６４において、折り曲げ切断線７３（その延長線を含む）で仕切られる領域の広い側は、第１の接着剤層６５を介して第１の用紙６１と第２の用紙６２が貼着され、その狭い側は、粘着剤層６６を介して第１の用紙６１と第２の用紙６２が貼着され、さらに、この狭い側において、第２の用紙６２のうち剥離紙片６２ｓとなる部分には、剥離性のインキ又は樹脂が塗布されて剥離層６７が形成され、その上に粘着剤層６６が形成されるようにし、剥離紙片６２ｓを隠蔽紙片６１ｓから剥がしたときに、粘着剤層６６が隠蔽紙片６１ｓの裏面に付着するようにされている。
なお、剥離層６７は、剥離層２７、４７と同様に設けなくてもよい。
【００６１】
［第２の接着剤層６８］
第２の接着剤層６８は、実施例２、３のカード紙片付印刷物２０、４０の第２の接着剤層２８、４８と同様に容易に剥離可能で通常の状態では再接着しない接着剤からなる擬似接着層である。
そして、左側面部６１ａと貼着部分６４を擬似接着する第２の接着剤層６８は、左側面部６１ａの上縁、右縁、下縁の近傍に設けられた第２の接着剤層６８ａと、カード紙片７０のうちカード本体７１に該当する左側面部６１ａの部分に設けられた第２の接着剤層６８ｂと、カード紙片７０のうち隠蔽シール部７２に該当する左側面部６１ａの部分に設けられた第２の接着剤層７８ｃとからなる（図２６参照）。
また、右側面部６１ｃと、中央面部６１ｂを擬似接着する第２の接着剤層６８は、右側面部６１ｃの上縁、右縁、下縁の近傍に設けられている。
【００６２】
［カード紙片付印刷物６０の使用方法］
図２７は、カード紙片付印刷物６０を開いた状態の平面図、図２８は、図２７の開いた状態のカード紙片付印刷物６０を正面から見た状態を模式的に表した説明図であり、図中、７０ｃは開口部、ｆ６１、ｆ６２は折り線である。
以下図に基づいてカード紙片付印刷物６０の使用方法について説明する。
カード紙片付印刷物６０においては、第２の接着剤層６８が容易に剥離するため、左側面部６１ａを貼着部分６４から剥がして折り線ｆ６１に沿って折り返し、右側面部６１ｃを中央面部６１ｂから剥がして折り線ｆ６２に沿って折り返すことにより、容易にカード紙片付印刷物６０を開くことができる。
このようにしてカード紙片付印刷物６０を開くと、カード紙片７０の周囲が打抜かれて切り込み７０ｂが形成されているから、カード紙片７０は、左側面部６１ａに付着（第２の接着剤層６８ａ、６８ｂ、６８ｃにより擬似接着）した状態で、貼着部分６４から分離され、貼着部分６４には、切り込み枠７０ａによる開口部７０ｃが形成される（図２７参照）。
そして、左側面部６１ａに第２の接着剤層６８ａ、６８ｂ、６８ｃを介して擬似接着されているカード紙片７０は、左側面部６１ａから容易に剥がすことができる。
【００６３】
このカード紙片７０は、隠蔽シール部付カード１０やカード紙片３０、５０と同様の構成であり、葉書、クーポン等のサービス券、チケット類、会員証等として使用することができる。
すなわち、カード紙片７０において、剥離紙７２ｓを隠蔽紙片７１ｓから剥がしながら折り曲げ切断線７３に沿って切り取る（切り離す）
この場合、剥離紙６２ｓは、剥離層６７を介して粘着剤層６６に貼着され、粘着剤層６６と剥離層６７は容易に剥離するため、粘着剤層６６を隠蔽紙片６１ｓに残して、剥離紙６２ｓを隠蔽紙片６１ｓから剥がすことができる。
また、折り曲げ切断線７３の両端には、切欠き７４、７５が設けられているため、剥離紙６２ｓを隠蔽紙片６１ｓから剥がしながら折り曲げ切断線７３に沿って容易に切り取る（切り離す）ことができる。
次いで、カード紙片７０において、隠蔽紙片６１ｓを折り曲げ切断線７３から折り曲げてカード本体７１に貼着し、秘密情報記載欄７６記載された秘密情報を隠蔽する。
カード本体７１は、カード本体１１、３１、５１と同様に、葉書、クーポン等のサービス券、チケット類、会員証等として使用することができ、例えば、カード本体７１を葉書として使用する場合は、秘密情報記載欄７６に差出人の住所、氏名等の個人情報を記載して投函すれば、個人情報を隠蔽した状態で、カード本体７１を葉書として郵送することができる。
【００６４】
［カード紙片付印刷物６０の製造方法］
カード紙片付印刷物６０は、連続する１枚の用紙に、印刷、切断、打抜き、折り、接着剤（粘着剤を含む）塗布、貼着等の加工を施すことにより、製造することができる。
図２９は、カード紙片付印刷物６０を製造するに際し、連続する１枚の用紙に施す加工の種類と位置を表した説明図である。
図において、Ｃは、連続する１枚の用紙であり、２点鎖線で示すＣｘ１は、用紙の縦方向（進行方向）の切断位置を示す切断予定線、２点鎖線で示すＣｙ１、Ｃｙ２は、用紙の横方向（進行方向と直角方向）の切断位置を示す切断予定線、１点鎖線で示すＣｕ１は、打ち抜く位置を示す打ち抜き予定線、破線で示すＣｍ１は、ミシン目を入れる位置を示すミシン目予定線、点線で示すＣｔ１、Ｃｔ２は、縦方向の折り位置を示す縦折り予定線、各種網点で示すＣｒ１〜Ｃｒ６は、接着剤（粘着剤を含む）を塗布する領域を示す接着剤塗布予定領域である。なお、本実施例における接着剤塗布予定領域Ｃｒ５は、横長の長方形を上下に２個、縦長の長方形を左右に３個並べたパターン状となっているが、接着剤塗布予定領域Ｃｒ５は、これに限定されるものではなく、任意の形状・パターンとすることができる。
【００６５】
ここで、切断予定線Ｃｙ１とＣｙ２の間隔ｐ３が、カード紙片付印刷物６０の縦方向の長さとなり、切断予定線Ｃｙ１とＣｙ２で仕切られる領域から１枚のカード紙片付印刷物６０が製造される。
そして、切断予定線Ｃｙ１とＣｙ２で仕切られる領域のうち、切断予定線Ｃｘ１と縦折り予定線Ｃｔ１で仕切られる領域Ｃ１が第１の用紙６１の左側面部６１ａとなり（第２の用紙を第１の用紙に貼り合せた後は貼着部分６４となる）、縦折り予定線Ｃｔ１と縦折り予定線Ｃｔ２で仕切られる領域Ｃ２が第１の用紙６１の中央面部６１ｂとなり、縦折り予定線Ｃｔ２と用紙Ｃの右端で仕切られる領域Ｃ３が第１の用紙６１の右側面部６１ｃとなり、用紙Ｃの左端と切断予定線Ｃｘ１で仕切られる領域Ｃ４が第２の用紙６２となり、ミシン目予定線Ｃｍ１は、折り曲げ切断線７３となり、縦折り予定線Ｃｔ１、Ｃｔ２は、折り線ｆ６１、ｆ６２となる。
【００６６】
以下、カード紙片付印刷物６０の製造方法を具体的に説明する。
まず、輪転印刷機（図示せず）の給紙部から巻取状の用紙Ｃを繰り出し、その表裏面に所定の印刷を施す。このとき、第２の用紙６２（領域Ｃ４）の接着剤塗布予定領域Ｃｒ３に剥離性のインキ又は樹脂を塗布して剥離層６７を形成しておく。
次いで、印刷された用紙Ｂは、加工機（図示せず）により、切断予定線Ｃｘ１で切断され、第１の用紙６１（領域Ｃ１、Ｃ２、Ｃ３）と第２の用紙６２（領域Ｃ４）に分割される。
そして、第２の用紙６２（領域Ｃ４）の接着剤塗布予定領域Ｃｒ１に非剥離性の接着剤が塗布されて第１の接着剤層６５が形成され、第１の用紙６１の中央面部６１ｂ（領域Ｃ２）の接着剤塗布予定領域Ｃｒ２に剥離性があり再接着可能な粘着剤が塗布されて粘着剤層６６が形成される。
本実施例においては、第１の接着剤層６５は、第２の用紙６２に形成されているが、第１の用紙６１の中央面部６１ｂに形成してもよく、また、粘着剤層６６は、第１の用紙６１の中央面部６１ｂに形成されているが、第２の用紙６２に形成してもよい。
なお、剥離層６７の形成は印刷工程で行ったが、第１の接着剤層６５の形成に併せて、接着剤塗布予定領域Ｃｒ３に剥離性の樹脂を塗布して剥離層６７を形成してもよく、また、剥離層６７の形成を省略してもよい。
【００６７】
その後、第２の用紙６２の裏面が第１の用紙６１の中央面部６１ｂ（領域Ｃ２）の左半分に重ねられて接着されて貼着部分６４が形成され、第１の接着剤層６５と粘着剤層６６の境界に位置するミシン目予定線Ｃｍ１に沿って横ミシンが入れられて、折り曲げ切断線７３が形成される。
次いで、左側面部６１ａ（領域Ｃ１）の接着剤塗布予定領域Ｃｒ４、Ｃｒ５に容易に剥離可能で再接着しない接着剤が塗布されて第２の接着剤層６８（６８ａ、６８ｂ、６８ｃ）が形成され、さらに、第１の用紙６１の右側面部６１ｃ（領域Ｃ３）の接着剤塗布予定領域Ｃｒ６に同様の接着剤が塗布されて第２の接着剤層６８が形成される。
その後、縦折り予定線Ｃｔ１に沿って、左側面部６１ａ（領域Ｃ１）が貼着部分６４（領域Ｃ２の左半分）に折り重ねられて第２の接着剤層６８（６８ａ、６８ｂ、６８ｃ）で疑似接着され、さらに、縦折り予定線Ｃｔ２に沿って、右側面部６１ｃ（領域Ｃ３）が中央面部６１ｂ（領域Ｃ２）の右半分に折り重ねられて第２の接着剤層６８で擬似接着された後、貼着部分６４の第１の用紙６１と第２の用紙６２が打ち抜き予定線Ｃｕ１に沿って打ち抜かれ、打ち抜き枠７０ａ（切り込み７０ｂ）、切欠き７４、７５が形成される。
最後に、折り重ねられて擬似接着された第１の用紙７１は、これに貼着された第２の用紙７２と共に、切断予定線Ｃｙ１、Ｃｙ２で切断されて、カード紙片付印刷物６０となる。
このようにして、用紙Ｃからカード紙片付印刷物６０が連続的に製造される。
【実施例５】
【００６８】
［カード紙片付印刷物の構成］
図３０は、本発明の第５実施形態である実施例５のカード紙片付印刷物の平面図、図３１は、実施例５のカード紙片付印刷物を正面から見た状態を模式的に表した説明図、図３２は、実施例５のカード紙片付印刷物の底面図、図３３は、図３０のＸ５−Ｘ５断面図である。
図中、８０はカード紙片付印刷物、８１は第１の用紙、８１ｓは隠蔽紙片、８２は第２の用紙、８２ｓは剥離紙片、８３は第３の用紙、８４は第１の用紙８１に第２の用紙８２を貼着した貼着部分、８５（８５ａ、８５ｂ）は第１の接着剤層、８６は粘着剤層、８７は剥離層、８８（８８ａ、８８ｂ、８８ｃ）は第２の接着剤層、９０はカード紙片、９０ａは打ち抜き枠、９０ｂは切り込み、９１はカード本体、９２は隠蔽シール部、９３は折り曲げ切断線、９４、９５は切欠き、９６は秘密情報記載欄、９７はミシン目である。
【００６９】
図３０〜図３３に示すように、カード紙片付印刷物８０は、第１の用紙８１と、第３の用紙８３と、第１の用紙８１の左半分に、第２の用紙８２の裏面が第１の接着剤層８５と粘着剤層８６を介して貼着され、これにより形成された貼着部分８４とから構成される。
貼着部分６４においては、第１の用紙８１と第２の用紙８２の両方が打抜かれて形成された打ち抜き枠９０ａと切り込み９０ｂによりカード紙片９０が形成されている。
実施例５のカード紙片付印刷物８０は、貼着部分８４の第２の用紙８２側と重なっているのが第３の用紙８３である点で、貼着部分の第２の用紙側と重なっているのが第１の用紙である実施例２〜４のカード紙片付印刷物２０、４０、６０と相違している。
そして、カード紙片９０は、実施例１〜４の隠蔽シール部付カード１０、カード紙片３０、５０、７０と同様の構成を有している。
すなわち、カード紙片９０においては、第１の用紙９１と第２の用紙９２を貫通するミシン目等の切り込みよりなる折り曲げ切断線９３が設けられて、カード本体９１と隠蔽シール部９２が形成され、折り曲げ切断線９３の両端には、第１の用紙８１と第２の用紙８２がくさび形状に打ち抜かれて切欠き９４、９５が形成されている。
カード本体９１においては、第１の用紙８１と第２の用紙８２が第１の接着剤層８５を介して貼着され、隠蔽シール部８２おいては、隠蔽紙片８１ｓ（第１の用紙８１）と剥離紙片８２ｓ（第２の用紙８２）が粘着剤層８６と剥離層８７を介して貼着されている。
そして、カード紙片付印刷物８０において、貼着部分８４の第２の用紙８２側が第３の用紙８３に重ねられて、第２の接着剤層８８（８８ａ、８８ｂ、８８ｃ）を介して第３の用紙８３に擬似接着されている。
また、カード紙片付印刷物８０の上縁近傍には、第１の接着剤層８５ｂの下縁に沿って、第１の用紙８１、第２の用紙８２及び第３の用紙８３を貫通するミシン目９７が設けられ、貼着部分８４と第３の用紙８３を第２の接着剤層８８から剥がした場合に、貼着部分８４または第３の用紙８３をミシン目９７に沿って折り返せるようになっている。
なお、本実施例では、第２の用紙６２の横幅は、第１の用紙８１の横幅の半分となっているが、第２の用紙８２の横幅は、これに限定されるものではなく、第１の用紙８１の幅より狭ければよい。
【００７０】
［第１の接着剤層８５、粘着剤層８６、剥離層８７］
第１の接着剤層６５、粘着剤層６６、剥離層６７の構成は、実施例２〜４のカード紙片付印刷物２０、４０、６０の第１の接着剤層２５、４５、６５、粘着剤層２６、４６、６６、剥離層２７、４７、６７の構成とおおよそ同じである。
すなわち、貼着部分８４において、折り曲げ切断線９３（その延長線を含む）で仕切られる領域の広い側は、第１の接着剤層８５（８５ａ）を介して第１の用紙８１と第２の用紙８２が貼着され、その狭い側は、粘着剤層８６を介して第１の用紙８１と第２の用紙８２が貼着され、さらに、この狭い側において、第２の用紙８２のうち剥離紙片８２ｓとなる部分には、剥離性のインキ又は樹脂が塗布されて剥離層８７が形成され、その上に粘着剤層８６が形成されるようにし、剥離紙片８２ｓを隠蔽紙片８１ｓから剥がしたときに、粘着剤層８６が隠蔽紙片８１ｓの裏面に付着するようにされている。
また、第２の用紙８２の表面と第１の用紙８２（貼り合せ部分８４以外の部分）の上縁部近傍が、第１の接着剤層８５（８５ｂ）を介して第３の用紙８３に接着されている。
なお、剥離層８７は、剥離層２７、４７、６７と同様に設けなくてもよい。
【００７１】
［第２の接着剤層８８］
第２の接着剤層６８は、実施例２〜４のカード紙片付印刷物２０、４０、６０の第２の接着剤層２８、４８、６８と同様に容易に剥離可能で通常の状態では再接着しない接着剤からなる擬似接着層である。
そして、貼着部分８４と第３の用紙８３を擬似接着する第２の接着剤層８８は、貼着部分８４の左縁、下縁の近傍に設けられた第２の接着剤層８８ａと、カード紙片９０のうちカード本体９１に該当する部分設けられた第２の接着剤層８８ｂと、カード紙片７０のうち隠蔽シール部９２に該当する部分に設けられた第２の接着剤層８８ｃとからなる（図３３参照）。
また、第１の用紙８１の右半分と第３の用紙を擬似接着する第２の接着剤層８８は、第１の用紙８１の右半分の右縁、下縁の近傍に設けられている。
【００７２】
［カード紙片付印刷物８０の使用方法］
図３４は、カード紙片付印刷物８０を開いた状態の平面図、図３５は、図３４の開いた状態のカード紙片付印刷物８０を左側面から見た状態を模式的に表した説明図であり、図中、９０ｃは開口部である。
以下図に基づいてカード紙片付印刷物８０の使用方法について説明する。
カード紙片付印刷物８０においては、第２の接着剤層８８が容易に剥離するため、貼着部分８４と第１の用紙８１を第３の用紙８３から剥がしてミシン目９７に沿って折り返すことにより、容易にカード紙片付印刷物８０を開くことができる。
このようにしてカード紙片付印刷物８０を開くと、カード紙片９０の周囲が打抜かれて切り込み９０ｂが形成されているから、カード紙片９０は、第３の用紙８３に付着（第２の接着剤層８８ａ、８８ｂ、８８ｃにより擬似接着）した状態で、貼着部分８４から分離され、貼着部分８４には、切り込み枠９０ａによる開口部９０ｃが形成される（図３４参照）。
そして、第３の用紙８３に第２の接着剤層８８ａ、８８ｂ、８８ｃを介して擬似接着されているカード紙片９０は、第３の用紙８３から容易に剥がすことができる。
【００７３】
このカード紙片９０は、隠蔽シール部付カード１０やカード紙片３０、５０、７０と同様の構成であり、葉書、クーポン等のサービス券、チケット類、会員証等として使用することができる。
すなわち、カード紙片９０において、剥離紙９２ｓを隠蔽紙片９１ｓから剥がしながら折り曲げ切断線９３に沿って切り取る（切り離す）
この場合、剥離紙８２ｓは、剥離層８７を介して粘着剤層８６に貼着され、粘着剤層８６と剥離層８７は容易に剥離するため、粘着剤層８６を隠蔽紙片８１ｓに残して、剥離紙８２ｓを隠蔽紙片８１ｓから剥がすことができる。
また、折り曲げ切断線９３の両端には、切欠き９４、９５が設けられているため、剥離紙８２ｓを隠蔽紙片８１ｓから剥がしながら折り曲げ切断線９３に沿って容易に切り取る（切り離す）ことができる。
次いで、カード紙片９０において、隠蔽紙片８１ｓを折り曲げ切断線９３から折り曲げてカード本体９１に貼着し、秘密情報記載欄９６記載された秘密情報を隠蔽する。
カード本体９１は、カード本体１１、３１、５１、７１と同様に、葉書、クーポン等のサービス券、チケット類、会員証等として使用することができ、例えば、カード本体９１を葉書として使用する場合は、秘密情報記載欄９６に差出人の住所、氏名等の個人情報を記載して投函すれば、個人情報を隠蔽した状態で、カード本体９１を葉書として郵送することができる。
【００７４】
［カード紙片付印刷物８０の製造方法］
カード紙片付印刷物８０は、連続する１枚の用紙に、印刷、切断、打抜き、折り、接着剤（粘着剤を含む）塗布、貼着等の加工を施すことにより、製造することができる。
図３６、図３７は、カード紙片付印刷物８０を製造するに際し、連続する１枚の用紙に施す加工の種類と位置を表した説明図であり、図３６は第１工程の説明図、図３７は第２工程の説明図である。
図において、Ｄは、連続する１枚の用紙であり、２点鎖線で示すＤｘ１、Ｄｘ２は、用紙の縦方向（進行方向）の切断位置を示す切断予定線、２点鎖線で示すＤｙ１、Ｄｙ２は、用紙の横方向（進行方向と直角方向）の切断位置を示す切断予定線、１点鎖線で示すＤｕ１は、打ち抜く位置を示す打ち抜き予定線、破線で示すＤｍ１、Ｄｍ２は、ミシン目を入れる位置を示すミシン目予定線、各種網点で示すＤｒ１〜Ｄｒ６は、接着剤（粘着剤を含む）を塗布する領域を示す接着剤塗布予定領域である。なお、本実施例における接着剤塗布予定領域Ｄｒ５は、横長の長方形を上下に２個、縦長の長方形を左右に３個並べたパターン状となっているが、接着剤塗布予定領域Ｄｒ５は、これに限定されるものではなく、任意の形状・パターンとすることができる。
【００７５】
ここで、切断予定線Ｄｙ１とＤｙ２の間隔ｐ３が、カード紙片付印刷物８０の縦方向の長さとなり、切断予定線Ｄｙ１とＤｙ２で仕切られる領域から１枚のカード紙片付印刷物８０が製造される。
そして、切断予定線Ｄｙ１とＤｙ２で仕切られる領域のうち、切断予定線Ｄｘ１とＤｘ２で仕切られる領域Ｄ１が第１の用紙８１となり、用紙Ｄの右端と切断予定線Ｄｘ１で仕切られる領域Ｄ３が第２の用紙８２となり、用紙Ｄの左端と切断予定線Ｄｘ２で仕切られる領域Ｄ４が第３の用紙８３となり、ミシン目予定線Ｄｍ１は、折り曲げ切断線９３となり、ミシン目予定線Ｄｍ２は、ミシン目９７となる。
以下、カード紙片付印刷物８０の製造方法を第１工程と第２工程に分けて具体的に説明する。
【００７６】
［第１工程］
まず、輪転印刷機（図示せず）の給紙部から巻取状の用紙Ｄを繰り出し、その表裏面に所定の印刷を施す。このとき、第２の用紙８２（領域Ｄ３）の接着剤塗布予定領域Ｄｒ３に剥離性のインキ又は樹脂を塗布して剥離層８７を形成しておく。
次いで、印刷された用紙Ｄは、加工機（図示せず）により、切断予定線Ｄｘ１で切断され、第１の用紙８１（領域Ｄ１）及び第３の用紙８３（領域Ｄ４）と、第２の用紙８２（領域Ｄ３）に分割される。
そして、第２の用紙８２（領域Ｄ３）の接着剤塗布予定領域Ｄｒ１に非剥離性の接着剤が塗布されて第１の接着剤層８５ａが形成され、第１の用紙８１（領域Ｄ１）の接着剤塗布予定領域Ｄｒ２に剥離性があり再接着可能な粘着剤が塗布されて粘着剤層８６が形成される。
その後、第２の用紙８２の裏面が第１の用紙８１の右側半分（領域Ｄ２）に重ねられて接着されて貼着部分８４が形成され、第１の接着剤層８５と粘着剤層８６の境界に位置するミシン目予定線Ｄｍ１に沿って横ミシンが入れられて、折り曲げ切断線９３が形成され、図３７に示すような状態となる。
本実施例においては、第１の接着剤層８５ａは、第２の用紙８２に形成されているが、第１の用紙８１に形成してもよく、また、粘着剤層８６は、第１の用紙８１ｂに形成されているが、第２の用紙８２に形成してもよい。
なお、剥離層８７の形成は印刷工程で行ったが、第１の接着剤層８５ａの形成に併せて、接着剤塗布予定領域Ｄｒ３に剥離性の樹脂を塗布して剥離層８７を形成してもよく、また、剥離層８７の形成を省略してもよい。
【００７７】
［第２工程］
まず、図３７に示す用紙Ｄは、加工機（図示せず）により、切断予定線Ｄｘ２で切断され、貼着部分８４を含む第１の用紙８１（領域Ｄ１）と第３の用紙８３（領域Ｄ４）に分割される。
次いで、貼着部分８４を含む第１の用紙８１（領域Ｄ１）において、接着剤塗布予定領域Ｄｒ４、Ｄｒ５に容易に剥離可能で再接着しない接着剤が塗布されて第２の接着剤層８８（８８ａ、８８ｂ、８８ｃ）が形成され、接着剤塗布予定領域Ｄｒ６に非剥離性の接着剤が塗布されて第１の接着剤層８５ｂが形成される。
その後、第３の用紙８３（領域Ｄ４）が、貼着部分８４（領域Ｄ２）と第１の用紙８１に重ねられ、第１の接着剤層８５ｂと第２の接着剤層８８（８８ａ、８８ｂ、８８ｃ）で接着または疑似接着された後、貼着部分８４の第１の用紙８１と第２の用紙８２が打ち抜き予定線Ｄｕ１に沿って打ち抜かれ、打ち抜き枠９０ａ（切り込み９０ｂ）、切欠き９４、９５が形成される。
さらに、ミシン目予定線Ｄｍ２に沿って、第１の用紙８１、第２の用紙８２及び第３の用紙８３を貫通するミシン目加工が施され、ミシン目９７が形成される。
最後に、貼着されてミシン目加工された第１の用紙８１、第２の用紙８２及び第３の用紙８３は、切断予定線Ｄｙ１、Ｄｙ２で切断されて、カード紙片付印刷物８０となる。
このようにして、用紙Ｄからカード紙片付印刷物８０が連続的に製造される。
【産業上の利用可能性】
【００７８】
本発明の隠蔽シール部付カードは、カードに段差を設けることなく、隠蔽紙片が形成でき、印刷物としての見栄えが損なわれないようにするものであり、本発明のカード紙片付印刷物は、カード紙片を隠蔽する隠蔽紙片を設けても、カード紙片及び隠蔽紙片を印刷物から容易に分離でき、位置合わせ等の手間をかけたりしわを発生させたりすることなく、隠蔽紙片をカード紙片に貼り付けられるようにするものである。
【符号の説明】
【００７９】
１  第１の紙片
１ｓ  隠蔽紙片
２  第２の紙片
２ｓ  剥離紙片
５  接着剤層
６  粘着剤層
７  剥離層
１０  隠蔽シール部付カード
１１  カード本体
１２  隠蔽シール部
１３  折り曲げ切断線
１３ｋ  切り込み
１４  切欠き
１４ａ、１４ｂ  傾斜面
１４Ｘ、１４Ｙ  切欠き
１４Ｚ  切り込み
１５  切欠き
１６  秘密情報記載欄
２０  カード紙片付印刷物
２１  第１の用紙
２１ａ  左側面部
２１ｂ  右側面部
２１ｓ  隠蔽紙片
２２  第２の用紙
２２ｓ  剥離紙片
２４  貼着部分
２５  第１の接着剤層
２６  粘着剤層
２７  剥離層
２８  第２の接着剤層
２８ａ、２８ｂ、２８ｃ  第２の接着剤層
３０  カード紙片
３０ａ  打ち抜き枠
３０ｂ  切り込み
３０ｃ  開口部
３１  カード本体
３２  隠蔽シール部
３３  折り曲げ切断線
３４、３５  切欠き
３６  秘密情報記載欄
４０  カード紙片付印刷物
４１  第１の用紙
４１ａ  左側面部
４１ｂ  右側面部
４１ｓ  隠蔽紙片
４２  第２の用紙
４２ｓ  剥離紙片
４４  貼着部分
４５  第１の接着剤層
４６  粘着剤層
４７  剥離層
４８  第２の接着剤層
４８ａ、４８ｂ、４８ｃ  第２の接着剤層
５０  カード紙片
５０ａ  打ち抜き枠
５０ｂ  切り込み
５０ｃ  開口部
５１  カード本体
５２  隠蔽シール部
５３  折り曲げ切断線
５４、５５  切欠き
５６  秘密情報記載欄
６０  カード紙片付印刷物
６１  第１の用紙
６１ａ  左側面部
６１ｂ  右側面部
６１ｓ  隠蔽紙片
６２  第２の用紙
６２ｓ  剥離紙片
６４  貼着部分
６５  第１の接着剤層
６６  粘着剤層
６７  剥離層
６８  第２の接着剤層
６８ａ、６８ｂ、６８ｃ  第２の接着剤層
７０  カード紙片
７０ａ  打ち抜き枠
７０ｂ  切り込み
７０ｃ  開口部
７１  カード本体
７２  隠蔽シール部
７３  折り曲げ切断線
７４、７５  切欠き
７６  秘密情報記載欄
８０  カード紙片付印刷物
８１  第１の用紙
８２  第２の用紙
８２ｓ  剥離紙片
８３  第３の用紙
８４  貼着部分
８５  第１の接着剤層
８５ａ、８５ｂ  第１の接着剤層
８６  粘着剤層
８７  剥離層
８８  第２の接着剤層
８８ａ、８８ｂ、８８ｃ  第２の接着剤層
９０  カード紙片
９０ａ  打ち抜き枠
９０ｂ  切り込み
９０ｃ  開口部
９１  カード本体
９２  隠蔽シール部
９３  折り曲げ切断線
９４、９５  切欠き
９６  秘密情報記載欄
９７  ミシン目
ｆ２１  折り線
ｆ４１、ｆ４２  折り線
ｆ６１、ｆ６２  折り線
Ａ  用紙
Ａ１〜Ａ３  領域
Ａｘ１  切断予定線
Ａｙ１、Ａｙ２  切断予定線
Ａｍ１  ミシン目予定線
Ａｕ１  打ち抜き予定線
Ａｔ１  縦折り予定線
Ａｒ１〜Ａｒ５  接着剤塗布予定領域
Ｂ  用紙
Ｂ１〜Ｂ４  領域
Ｂｘ１  切断予定線
Ｂｙ１、Ｂｙ２  切断予定線
Ｂｍ１  ミシン目予定線
Ｂｕ１  打ち抜き予定線
Ｂｔ１、Ｂｔ２  縦折り予定線
Ｂｒ１〜Ｂｒ６  接着剤塗布予定領域
Ｃ  用紙
Ｃ１〜Ｃ４  領域
Ｃｘ１  切断予定線
Ｃｙ１、Ｃｙ２  切断予定線
Ｃｍ１  ミシン目予定線
Ｃｕ１  打ち抜き予定線
Ｃｔ１、Ｃｔ２  縦折り予定線
Ｃｒ１〜Ｃｒ５  接着剤塗布予定領域
Ｄ  用紙
Ｄ１〜Ｄ４  領域
Ｄｘ１、Ｄｘ２  切断予定線
Ｄｙ１、Ｄｙ２  切断予定線
Ｄｍ１、Ｄｍ２  ミシン目予定線
Ｄｕ１  打ち抜き予定線
Ｄｒ１〜Ｄｒ６  接着剤塗布予定領域
【図１】
0006705201.tif 000002
【図２】
0006705201.tif 000003
【図３】
0006705201.tif 000004
【図４】
0006705201.tif 000005
【図５】
0006705201.tif 000006
【図６】
0006705201.tif 000007
【図７】
0006705201.tif 000008
【図８】
0006705201.tif 000009
【図９】
0006705201.tif 000010
【図１０】
0006705201.tif 000011
【図１１】
0006705201.tif 000012
【図１２】
0006705201.tif 000013
【図１３】
0006705201.tif 000014
【図１４】
0006705201.tif 000015
【図１５】
0006705201.tif 000016
【図１６】
0006705201.tif 000017
【図１７】
0006705201.tif 000018
【図１８】
0006705201.tif 000019
【図１９】
0006705201.tif 000020
【図２０】
0006705201.tif 000021
【図２１】
0006705201.tif 000022
【図２２】
0006705201.tif 000023
【図２３】
0006705201.tif 000024
【図２４】
0006705201.tif 000025
【図２５】
0006705201.tif 000026
【図２６】
0006705201.tif 000027
【図２７】
0006705201.tif 000028
【図２８】
0006705201.tif 000029
【図２９】
0006705201.tif 000030
【図３０】
0006705201.tif 000031
【図３１】
0006705201.tif 000032
【図３２】
0006705201.tif 000033
【図３３】
0006705201.tif 000034
【図３４】
0006705201.tif 000035
【図３５】
0006705201.tif 000036
【図３６】
0006705201.tif 000037
【図３７】
0006705201.tif 000038